(57)【要約】【課題】滅菌したバッテリ装置に不潔域のバッテリを装填する際に、滅菌済みの装置を汚染させることなく、バッテリ装置にバッテリを容易に装填すること。【解決手段】バッテリ装置３のオートクレーブ滅菌後に不潔域のバッテリ３４を清潔域のバッテリ装置３に装填する際に、バッテリ３４を誘導するバッテリガイド部６をバッテリ装置３のバッテリ収容部３３先端に係合させて、清潔域と不潔域を隔てて、不潔域のバッテリ３４をバッテリガイド部６のガイドレール６１，６２を介して清潔域のバッテリ収容部３３内部に誘導して装填することで、滅菌済みのバッテリ装置３の汚染を防ぐ。【選択図】        図３
2006116041.tif 000002
【特許請求の範囲】
【請求項１】
バッテリ手段を収容するための収容部と、前記バッテリ手段から供給される電源により作動する機能実行手段と、を有するバッテリ装置と、
前記収容部に前記バッテリ手段を誘導する誘導手段と、
を備え、前記バッテリ手段の装填時に、前記バッテリ手段を前記誘導手段によって前記収容部内に誘導することを特徴とするバッテリ収容装置。
【請求項２】
前記バッテリ収容装置は、
前記バッテリ装置と前記誘導手段とを係合する係合手段を、
さらに備え、前記バッテリ手段の装填時に前記係合手段によって前記バッテリ装置と前記誘導手段を係合させて、前記バッテリ手段を、前記誘導手段を介して前記収容部内に誘導することを特徴とする請求項１に記載のバッテリ収容装置。
【請求項３】
前記係合手段は、
前記バッテリ手段または前記誘導手段に設けたピン部と、
前記誘導手段または前記バッテリ装置に設けられ、前記ピン部が係合する溝部と、
を備えることを特徴とする請求項２に記載のバッテリ収容装置。
【請求項４】
前記誘導手段は、前記収容部内を摺動する摺動部からなり、前記摺動部は、前記バッテリ手段の充填時に前記収容部外部に突出し、前記バッテリ手段の挿入後に、当該バッテリ手段を前記収容部内に誘導することを特徴とする請求項１に記載のバッテリ収容装置。
【請求項５】
前記誘導手段は、前記バッテリ手段を把持可能な把持部を有するとともに、前記バッテリ装置に嵌合して前記収容部を密閉する蓋体からなることを特徴とする請求項１に記載のバッテリ収容装置。
【請求項６】
前記誘導手段は、前記バッテリ手段を把持可能な把持具からなることを特徴とする請求項１に記載のバッテリ収容装置。
【請求項７】
前記誘導手段は、
前記収容部内を摺動するとともに、前記バッテリ手段を載置可能に設けられた摺動部と、
前記摺動部を摺動制御するとともに、前記バッテリ装置に嵌合して前記収容部を密閉する蓋体と、
を備えることを特徴とする請求項１に記載のバッテリ収容装置。
【請求項８】
前記誘導手段は、
前記バッテリ手段を載置可能に前記バッテリ装置に設けられた載置部と、
前記載置部上の前記バッテリ手段を、前記収容部に誘導可能に移動するとともに、前記バッテリ装置に嵌合して前記収容部を密閉する蓋体と、
前記蓋体を移動可能に保持する前記バッテリ装置に設けられた保持手段と、
を備えることを特徴とする請求項１に記載のバッテリ収容装置。
【請求項９】
前記バッテリ手段は、
電力を蓄電する蓄電手段を、
少なくとも備えることを特徴とする請求項１〜８のいずれか一つに記載のバッテリ収容装置。
【請求項１０】
前記バッテリ手段は、
前記蓄電手段からの電力供給を行う電力供給手段を、
さらに備えることを特徴とする請求項９に記載のバッテリ収容装置。
【請求項１１】
バッテリ手段を収容する収容部と、前記バッテリ手段から供給される電源により作動する機能実行手段と、を有するバッテリ装置と、
前記収容部に前記バッテリ手段を誘導する誘導手段と、
を有するバッテリ収容装置と、
前記バッテリ収容装置が着脱可能に装着される内視鏡操作部と、
を備え、前記バッテリ手段の装填時に、前記バッテリ手段を前記誘導手段によって前記収容部に誘導することを特徴とする内視鏡装置。
【発明の詳細な説明】
【技術分野】
【０００１】
本発明は、１次電池または２次電池として使用されるバッテリ手段（以下、単に「バッテリ」という）を収容するバッテリ収容装置および内視鏡装置に関するものである。
【背景技術】
【０００２】
たとえば、従来の乾電池などのバッテリは、所定の装置に設けられた正極および負極の電極を備えたバッテリ収容ケースに収容されており、これら電極および電極に繋がる導電線などを介して電気的に接続された所定の機能を実行する機能実行手段としての負荷装置に電力を供給することで、この機能実行手段の駆動を可能にしている。
【０００３】
ところが、近年では、このような構成のバッテリを加圧蒸気状態の外部環境化に配置する状況が発生する場合が考えられる。このような状況としては、バッテリを、たとえば被検体に対する医療行為に使用する際に、滅菌を必要とする場合などが考えられる。このような場合には、一般的に用いられている、たとえばステンレス鋼などの金属やプラスチック材質のバッテリ収容ケースにバッテリを収容する構成では、外部からの蒸気がバッテリ内に侵入してしまって、金属部材に錆が発生し、摺動部の摺動力量が大きくなったり、電気的な接点部の導通抵抗が低くなってしまう虞があった。たとえば、機能実行装置として特許文献１に示す医療用の内視鏡装置においては、バッテリ収容ケースにバッテリを収容して、負荷装置であるランプとバッテリを電気的に接続させて、ランプに電力を供給するとともに、接続部、たとえばバッテリ収容ケースとランプ室ケースとの接続部などをＯリングでシールすることで水密に構成されている。
【０００４】
この内視鏡装置では、このランプからの出射光をライトガイドファイバなどに導光し、ライト部先端側の照明窓からこの導光された照明光を出射させて、被検者の被検部位である胃、大腸などの臓器の内部（体腔内）を照明し、その反射光を内視鏡装置に取り込むことで、医者もしくは看護士による観察を可能にしていた。
【０００５】
【特許文献１】特開平９−５６６７２号公報
【発明の開示】
【発明が解決しようとする課題】
【０００６】
しかしながら、現状の医療においては、たとえば高温度と圧力を加えた加圧水蒸気を生成し、この水蒸気によって、内視鏡装置を蒸気滅菌（オートクレーブ滅菌）してから、被検者に対して使用する状況が生じる場合がある。このオートクレーブ滅菌では、たとえば１３５℃に加熱され、かつ２．２気圧に加圧された加圧水蒸気で、内視鏡装置を２０分間加熱して滅菌するので、この２０分間の加熱の間に加圧水蒸気による熱がバッテリ収容ケースを介してバッテリに伝わり、バッテリに悪影響を与えて電池の性能を劣化させる場合がある。
【０００７】
そこで、従来では、内視鏡装置のバッテリ装置をオートクレーブ滅菌する際に、バッテリを内視鏡装置から取り外し、オートクレーブ滅菌終了後に、不潔域物であるバッテリを清潔域物であるバッテリ収容装置に装填する手順も考えられるが、この装填時に不潔域物であるバッテリが清潔域に触れてしまう場合があり、清潔域物が汚染されてしまう虞があった。
【０００８】
本発明は、上記問題に鑑みてなされたものであって、滅菌したバッテリ装置に不潔域のバッテリを装填する際に、滅菌済みの装置を汚染させることなく、バッテリ装置にバッテリを容易に装填することができるバッテリ収容装置および内視鏡装置を提供することを目的とする。
【課題を解決するための手段】
【０００９】
上述した課題を解決し、目的を達成するために、本発明にかかるバッテリ収容装置は、バッテリ手段を収容するための収容部と、前記バッテリ手段から供給される電源により作動する機能実行手段と、を有するバッテリ装置と、前記収容部に前記バッテリ手段を誘導する誘導手段と、を備え、前記バッテリ手段の装填時に、前記バッテリ手段を前記誘導手段によって前記収容部内に誘導することを特徴とするバッテリ収容装置が提供される。
【００１０】
また、請求項２の発明にかかるバッテリ収容装置は、上記発明において、前記バッテリ装置と前記誘導手段とを係合する係合手段を、さらに備え、前記バッテリ手段の装填時に前記係合手段によって前記バッテリ装置と前記誘導手段を係合させて、前記バッテリ手段を、前記誘導手段を介して前記収容部内に誘導することを特徴とする。
【００１１】
また、請求項３の発明にかかるバッテリ収容装置は、上記発明において、前記係合手段は、前記バッテリ手段または前記誘導手段に設けたピン部と、前記誘導手段または前記バッテリ装置に設けられ、前記ピン部が係合する溝部と、を備えることを特徴とする。
【００１２】
また、請求項４の発明にかかるバッテリ収容装置は、上記発明において、前記誘導手段は、前記収容部内を摺動する摺動部からなり、前記摺動部は、前記バッテリ手段の充填時に前記収容部外部に突出し、前記バッテリ手段の挿入後に、当該バッテリ手段を前記収容部内に誘導することを特徴とする。
【００１３】
また、請求項５の発明にかかるバッテリ収容装置は、上記発明において、前記誘導手段は、前記バッテリ手段を把持可能な把持部を有するとともに、前記バッテリ装置に嵌合して前記収容部を密閉する蓋体からなることを特徴とする。
【００１４】
また、請求項６の発明にかかるバッテリ収容装置は、上記発明において、前記誘導手段は、前記バッテリ手段を把持可能な把持具からなることを特徴とする。
【００１５】
また、請求項７の発明にかかるバッテリ収容装置は、上記発明において、前記誘導手段は、前記収容部内を摺動するとともに、前記バッテリ手段を載置可能に設けられた摺動部と、前記摺動部を摺動制御するとともに、前記バッテリ装置に嵌合して前記収容部を密閉する蓋体と、を備えることを特徴とする。
【００１６】
また、請求項８の発明にかかるバッテリ収容装置は、上記発明において、前記誘導手段は、前記バッテリ手段を載置可能に前記バッテリ装置に設けられた載置部と、前記載置部上の前記バッテリ手段を、前記収容部に誘導可能に移動するとともに、前記バッテリ装置に嵌合して前記収容部を密閉する蓋体と、前記蓋体を移動可能に保持する前記バッテリ装置に設けられた保持手段と、を備えることを特徴とする。
【００１７】
また、請求項９の発明にかかるバッテリ収容装置は、上記発明において、前記バッテリ手段は、電力を蓄電する蓄電手段を、少なくとも備えることを特徴とする。
【００１８】
また、請求項１０の発明にかかるバッテリ収容装置は、上記発明において、前記バッテリ手段は、前記蓄電手段からの電力供給を行う電力供給手段を、さらに備えることを特徴とする。
【００１９】
また、請求項１１の発明にかかる内視鏡装置は、バッテリ手段を収容する収容部と、前記バッテリ手段から供給される電源により作動する機能実行手段と、を有するバッテリ装置と、前記収容部に前記バッテリ手段を誘導する誘導手段と、を有するバッテリ収容装置と、前記バッテリ収容装置が着脱可能に装着される内視鏡操作部と、を備え、前記バッテリ手段の装填時に、前記バッテリ手段を前記誘導手段によって前記収容部に誘導することを特徴とする。
【発明の効果】
【００２０】
本発明にかかるバッテリ収容装置は、たとえばオートクレーブ滅菌終了後に滅菌していない不潔域のバッテリ手段を清潔域のバッテリ収容装置に装填する際に、バッテリ手段とバッテリ収容装置の間に清潔域物である誘導手段を設け、この誘導手段によって清潔域と不潔域を隔てて、前記バッテリ手段を前記バッテリ収容装置の収容部に誘導して装填するので、滅菌したバッテリ収容装置に不潔域のバッテリを装填する際に、滅菌済みの装置を汚染させることなく、バッテリ収容装置にバッテリを容易に装填することができるという効果を奏する。
【００２１】
本発明にかかる内視鏡装置は、バッテリ手段を誘導する誘導手段を有する清潔域のバッテリ収容装置と、前記バッテリ収容装置が着脱可能に装着される内視鏡操作部と、を備え、不潔域の前記バッテリ手段の装填時に、前記バッテリ手段を前記誘導手段を介して清潔域の前記バッテリ収容装置の収容部に誘導するので、滅菌したバッテリ収容装置に不潔域のバッテリを装填する際に、滅菌済みの装置を汚染させることなく、バッテリ収容装置にバッテリを容易に装填することができるという効果を奏する。
【発明を実施するための最良の形態】
【００２２】
以下に、本発明にかかるバッテリ収容装置および内視鏡装置の実施の形態を図１〜図１４の図面に基づいて詳細に説明する。なお、本発明は、これらの実施の形態に限定されるものではなく、本発明の要旨を逸脱しない範囲で種々の変更実施の形態が可能である。
【００２３】
（実施の形態１）
図１は、本発明にかかるバッテリ装置を用いる携帯型内視鏡装置の構成の一例を示す斜視図である。図において、内視鏡装置１は、液体の漏れや透過を防ぐ水密構造の内視鏡２と、この内視鏡２に着脱自在に装着されて電気的に接続されるバッテリ装置３とで構成されている。また、この内視鏡２には、バッテリ装置３の代わりに、図示しないライトガイドケーブルを着脱自在に装着させることも可能である。
【００２４】
この内視鏡２は、一端に設けられた接眼部２１と、この接眼部２１が取り付けられる取り付け側に設けられた操作部２２と、この操作部２２の他端に設けられ、被検体内に挿入される細長の円筒形状の挿入部２３とを有する。この取り付け側の操作部２２の側面には、ライトガイド口金２２ａが突出して設けられており、バッテリ装置３の接続部３１が着脱自在に接続される。また、この操作部２２の側面には、異なる位置に、挿入部２３先端の湾曲動作の操作を行うための湾曲操作レバー２２ｂと、吸引操作を行うための吸引ボタン２２ｃとがそれぞれ突設されている。この吸引ボタン２２ｃの側面には、内視鏡２内に設けられた吸引チャンネル（図示せず）に連通する吸引口金２２ｄが突出しており、たとえばこの吸引口金２２ｄにチューブを取り付け、このチューブを介して所定の吸引装置に接続させ、上述した吸引ボタン２２ｃを適宜操作することで、挿入部２３、吸引チャンネルおよび吸引口金２２ｄを介して体腔内の液体などの吸引排出を行うことができる。
【００２５】
また、この操作部２２には、内視鏡２を保持して固定するために、医者などが把持する把持部２２ｅが設けられている。この操作部２２において、挿入部２３が取り付けられる取り付け側には、鉗子を挿入するための鉗子挿入口２２ｆが突設されており、この鉗子挿入口２２ｆは、通常鉗子栓２２ｇで閉塞されている。また、鉗子挿入口２２ｆの対向側には、たとえば通気口金２２ｈが設けられ、この通気口金２２ｈから内視鏡２内部に空気を送入することによって、内視鏡２の水漏れ検査を行うことが可能となる。
【００２６】
被検体内に挿入される挿入部２３は、先端に設けられた硬質の先端部２３ａと、操作部２２の操作によって湾曲動作を行う湾曲部２３ｂと、柔軟性を有する可撓管２３ｃとを備え、これらの部位は一列に連なるように構成されている。
【００２７】
挿入部２３内には、バッテリ装置３のランプから出射された照明光を導くためのライトガイドファイバ（図示せず）が内装されている。このライトガイドファイバの一端は、操作部２２内部で屈曲され、ライトガイド口金２２ａ内に固定されている。また、このライトガイドファイバの他端は、挿入部２３の先端に設けられた照明窓２３ｄに固定されている。したがって、内視鏡装置１は、バッテリ装置３から出射された照明光を、ライトガイド口金２２ａからライトガイドファイバを通って、照明窓２３ｄから外部に照射でき、これにより挿入された被検体の体腔内を照明することが可能となる。また、ライトガイド口金２２ａの外周面には、接続用の雄ネジ部２２ｉが設けられている。
【００２８】
図２は、図１に示した操作部２２とバッテリ装置３の接続部３１の外観を説明するための図であり、図３は、図１に示したバッテリ装置を含むバッテリ収容装置の全体構成を示す図である。これら図において、バッテリ収容装置は、バッテリ装置３と、バッテリガイド部６とを備える。バッテリ装置３の接続部３１は、外周面に設けられた接続環３１ａを有し、接続環３１ａは、内周面に形成されている雌ネジ部３１ｂと、雌ネジ部３１ｂの外周面を被覆するネジカバー３１ｃとを備えている。この接続環３１ａは、円筒形状の接続口金３１ｄの外周面を囲繞するように設けられ、かつ接続口金３１ｄの長手方向の移動が一定の範囲で移動可能なように規制された状態で、この接続口金３１ｄに取り付けられている。そして、この雌ネジ部３１ｂが、ライトガイド口金２２ａの外周面に設けられた雄ネジ部２２ｉと螺合するように構成されている。
【００２９】
また、接続口金３１ｄの外周面には、水密リング３１ｅが周設されており、接続部３１をライトガイド口金２２ａに接続させる時に、この水密リング３１ｅがライトガイド口金２２ａの接続筒２２ｊの内周面に密着している。すなわち、このバッテリ装置３の接続環３１ａを所定方向に回転させ、ライトガイド口金２２ａの雄ネジ部２２ｉと接続環３１ａの雌ネジ部を螺合させることで、内視鏡２のライトガイド口金２２ａに接続環３１ａが螺合固定され、かつ接続筒２２ｊと接続口金３１ｄが水密リング３１ｅによって密着されて、内視鏡２とバッテリ装置３が一体に組み合わされることとなる。この構成により、この連結部での水密が確保される。
【００３０】
図３において、バッテリ装置３は、横長の長方体形状の枠体からなるランプ５０を収容するランプ収容部３２と、バッテリ手段としてのバッテリ３４（蓄電手段）を収容するバッテリ収容空間を形成する内面３３ｅを有する縦長の長方体形状の枠体からなるバッテリ収容部３３と、バッテリ収容部３３の上端部に、たとえば蝶番式で開閉自在に連結された蓋体３５とを備える。
【００３１】
ランプ収容部３２は、収容部本体３２ａと、ランプ５０を保持して収容部本体３２ａに嵌合される水密構造の水密リング３２ｂと、水密リング３２ｂに付設されるランプ接点バネ部３２ｃとを備える。収容部本体３２ａは、たとえば図示しない絶縁性の樹脂素材で一端に太径の孔からなる太孔部と、細径の孔からなり大孔部に連通する細孔部とを有して形成され、これら孔部は、外部と連通している。水密リング３２ｂは、この収容部本体３２ａの太孔部に嵌合可能に形成されている。ランプ接点バネ部３２ｃは、この収容部本体３２ａの細径部とネジなどによって嵌合可能で、かつ細孔部に挿入、保持されたランプ５０の基端電極５０ａと接続可能な接点バネから形成されている。
【００３２】
バッテリ収容部３３の内部には、バッテリ３４の電極と接触して電気的に接続される、図示しないコイルバネおよび円柱形状の接続端子と、バッテリ収容部３３の底部に配設され、コイルバネおよび接続端子と接続される電源回路とを備える。コイルバネおよび接続端子は、直列に接続されたバッテリ３４の電力を電源回路に供給している。電源回路には、バッテリ３４の電圧を、ランプ５０の定格電圧、たとえば４．８Ｖに変換する図示しない変圧回路が設けられている。
【００３３】
図３中に示すバッテリ収容部３３の上面３３ｆには、たとえば形成される内面３３ｅの四方にピン係合用の溝３３ｇが形成されている。バッテリガイド部６は、たとえば滅菌のされていない不潔域のバッテリ３４を清潔域のバッテリ装置３に装填する際に、バッテリとバッテリ収容装置の間に配置される清潔域の誘導手段である。この誘導手段としてのバッテリガイド部６は、楕円柱形状に形成され、その内部には、長手方向にバッテリ３４のガイドレール６１，６２が設けられるとともに、図３中のバッテリ装置３側の下面６３には、ガイドレール６１，６２の四方に上記溝３３ｇと係合可能なピン６３ａが突設されている。バッテリガイド部６のガイドレール６１，６２は、バッテリ挿入用開口６３，６４を有し、複数の溝３３ｇとピン６３ａとが係合された時に、バッテリ収容部３３の内面３３ｅと連通可能に形成されている。これにより不潔域のバッテリ３４は、バッテリ挿入用開口６３，６４側から清潔域のバッテリガイド部６のガイドレール６１，６２を介して、バッテリ収容部３３の内面３３ｅに収容される。
【００３４】
蓋体３５は、非導電部材で形成されており、閉状態で装填されたバッテリ３４と接続される導電板３５ａと、縁部に設けられた固定爪部３５ｂとを備える。この実施の形態では、バッテリ収容部３３の内面３３ｅに、バッテリ３４が矢印Ｂに示すように挿入および収納され、蓋体３５を閉めた時に、バッテリ３４が導電板３５ａに接触して直列状態で接続される。
【００３５】
また、バッテリ装置３は、蓋体３５が図示しないヒンジによって連結された上端部と対向する上端部に、ロック機構部３６を備える。このロック機構部３６は、固定爪部３５ｂに係合するロック爪部３６ａと、バッテリ収容部３３に対して回動するとともに、この回動に対応してロック爪部３６ａを回動可能に支持する開放レバー３６ｂとから形成されている。このため、このロック爪部３６ａは、開放レバー３６ｂの動作に連動して固定爪部３５ｂに対して固定した状態または開放した状態をとることが可能となる。つまり、蓋体３５は、固定爪部３５ｂに係合する、いわゆるバックル式のロック機構によってバッテリ収容部３３に一体固定されている。
【００３６】
次に、バッテリ３４の収容動作について説明する。図３において、バッテリ装置３とバッテリガイド部６とは、予めオートクレーブ滅菌などの滅菌が施され、清潔域物として清潔域に属している。また、バッテリ３４は、加圧水蒸気による熱や蒸気の悪影響を受ける関係から、バッテリ装置３をオートクレーブ滅菌する際に、内視鏡装置１から取り外されて不潔域の状態に置かれている。
【００３７】
そして、オートクレーブ滅菌終了後に、バッテリ３４をバッテリ装置３に装填する際に、まず清潔域の作業者（たとえば看護婦など）がバッテリ装置３の蓋体３５を開口し、バッテリガイド部６を矢印Ａの方向に移動させて、ピン６３ａを、バッテリ装置３の上面３３ｆに設けた溝３３ｇに係合する。これによって、バッテリ装置３の内面３３ｅとバッテリガイド部６のガイドレール６１，６２とが位置決めされて連通することとなる。
【００３８】
次に、不潔域の作業者がバッテリ３４をガイドレール６１，６２内に挿入すると、バッテリ３４がガイドレール６１，６２内を通過して、バッテリ装置３の内面３３ｅ内に収容される。次に、溝３３ｇとピン６３ａの係合を解除する。なお、この際にバッテリガイド部６、特にガイドレール６１，６２の内周面は、不潔域の状態となる。
【００３９】
そして、清潔域の作業者が蓋体３５を閉じて、ロック機構部３６のロック爪部３６ａを蓋体３５に係合させて固定することによって、バッテリ３４の装填および蓋体３５の閉塞を完了する。
【００４０】
このような構成により、この実施の形態では、滅菌したバッテリ装置に不潔域のバッテリを装填する際に、滅菌済みのバッテリガイド部をバッテリ装置に係合させ、位置決めされたバッテリガイド部を介してバッテリをバッテリ装置の内面に装填するので、不潔域のバッテリが清潔域のバッテリ収容部内に収容され、これにより滅菌したバッテリ装置に不潔域のバッテリを装填する際に、滅菌済みの装置を汚染させることなく、バッテリ装置にバッテリを容易に装填することができる。
【００４１】
なお、この実施の形態では、蓋体をロック機構部によって閉まる状態にしたが、本発明はこれに限らず、たとえばバッテリ収容部と蓋体をバネで連結し、このバネの付勢力によって蓋体を閉塞するように構成することも可能である。この場合には、たとえば蓋体を開口してバッテリ装置にバッテリガイド部を係合させてバネをロックした状態でオートクレーブ滅菌を行う。そして、バッテリの装填後にバッテリガイド部をバッテリ装置から取り外せば、バネのロックが解除して、蓋体はバネの付勢力によって自動的に閉じて、蓋体を閉塞状態にすることが可能となる。この場合には、バネの付勢力に蓋体が閉塞状態になるので、滅菌済みの装置を汚染させることなく、バッテリ装置にバッテリをさらに容易に装填することができる。
【００４２】
また、この実施の形態では、バッテリ装置３とバッテリガイド部６のバッテリ挿入用開口６３，６４がある程度離れているので、不潔域の人が不用意にバッテリ装置３に触れてしまうことを防ぐこともできる。
【００４３】
（実施の形態２）
図４は、図１に示したバッテリ収容装置の実施の形態２の構成を示す斜視図であり、図５は、図４のＢ−Ｂ断面を示す断面図であり、図６は、図４に示したスライド機構部を説明するための図である。これら図において、この実施の形態が、実施の形態１と異なる点は、バッテリ収容部３３の内面３３ｅ内にバッテリ３４を装填可能な収納ケース７を設け、この収納ケース７をスライド機構部８によって内面３３ｅ内をスライドさせて、外部に突出可能に構成した点である。また、蓋体３５は、一面が開口した開口部３５ｃを有する長方体の箱形形状に構成されており、この開口部３５ｃがバッテリ収容部３３の端部に形成された長方体形状の突部３３ｈと嵌合することで、バッテリ収容部３３の内面３３ｅを閉塞状態にしている。
【００４４】
この実施の形態２において、収納ケース７には、バッテリ収容部３３の内面３３ｅ内に収納可能な楕円柱形状で形成され、その内部には、長手方向にバッテリ３４を収容可能なバッテリ収容孔７１，７２が形成されている。なお、これらバッテリ収容孔７１，７２において、ランプ収容部３２の収容部本体３２ａ側は、閉口されている。
【００４５】
摺動部としてのスライド機構部８は、誘導手段としての機能を有し、図４中、収納ケース７の外周面の長手方向に形成された長溝７３と、この長溝７３の内側に形成されたラックと、図４中、バッテリ収容部３３の上面に回動可能に設けられた回動レバー３７と、バッテリ収容部３３の内面３３ｅ内に設けられるとともに、ラックと歯合するピニオン３８とから構成されている。このピニオン３８は、回動レバー３７の回動に連動するように形成されており、このピニオン３８の回動によって、ラック７４は、図６中の矢印Ｘ１とＸ２方向に移動を繰り返している。この移動のうち、ラック７４の矢印Ｘ１の方向に対して、収納ケース７は、内面３３ｅ内に挿入される状態に移動し、またラック７４の矢印Ｘ２の方向の移動に対して、収納ケース７は、内面３３ｅから突出する状態に移動する。これにより、収納ケース７は、収納ケース７のバッテリ収容孔７１，７２がバッテリ装置３から突出する位置と、バッテリ装置３内に収納されて機能実行手段と内部に収納したバッテリとが電気的に接続する位置との間で移動自在に設けられている。
【００４６】
すなわち、この実施の形態では、オートクレーブ滅菌終了後に、バッテリ３４をバッテリ装置３に装填する際に、まず清潔域の作業者が回動レバー３７を回してピニオン３８を図６中の矢印Ｘ２（外部）方向に移動させて、収納ケース７を外部に突出させる。そして、不潔域の作業者がバッテリ３４を収納ケース７のバッテリ収容孔７１，７２に収容する。
【００４７】
次に、清潔域の作業者が回動レバー３７を反対方向に回してピニオン３８を図６中の矢印Ｘ１（内面３３ｅ）方向に移動させて、収納ケース７をバッテリ装置３内に収納する。そして、蓋体３５をバッテリ収容部３３に嵌合させることによって、バッテリ３４の装填および蓋体３５の閉塞を完了する。装填されたバッテリ３４は、図５に示すように、収納ケース７に設けられた接続端子７５を介して、バッテリ収容部３３の内面３３ｅの接続端子３３ｂと接触して、電源回路３３ｃと電気的に接続され、バッテリ３４の電力を電源回路３３ｃに供給している。電源回路３３ｃには、バッテリ３４の電圧を、ランプ５０の定格電圧、たとえば４．８Ｖに変換する図示しない変圧回路が設けられており、変圧回路は、昇圧した定格電圧をランプ５０に供給している。
【００４８】
このような構成により、この実施の形態では、滅菌したバッテリ装置に不潔域のバッテリを装填する際に、スライド機構部により滅菌済みの収納ケースをバッテリ装置内から突出させ、この収納ケース内にバッテリを収納し、かつこの収納ケースをスライド機構部によりバッテリ装置内に収容することで、バッテリをバッテリ装置の内面に装填するので、不潔域のバッテリが清潔域のバッテリ収容部内に収容され、これにより滅菌したバッテリ装置に不潔域のバッテリを装填する際に、滅菌済みの装置を汚染させることなく、バッテリ装置にバッテリを容易に装填することができる。
【００４９】
なお、本発明では、この実施の形態例に限らず、たとえば回動レバー３７の代わりにスライド用レバーを用い、このスライド用レバーをバッテリ収容部３３に設けた溝を介して収納ケース７に直接取り付け、外部からこのレバーをスライドさせることで、収納ケース７をバッテリ収容部３３から進退させる構成にすることも可能である。また、収納ケース７を磁性材料で形成し、バッテリ収容部３３外部から磁石などの磁性体で、収納ケースをバッテリ収容部３３から進退させる構成にすることも可能である。
【００５０】
（実施の形態３）
図７は、図１に示したバッテリ収容装置の実施の形態３の構成を示す斜視図であり、図８は、図７のＣ−Ｃ断面を示す断面図である。これら図において、実施の形態１と異なる点は、バッテリ収容部３３の内面３３ｅ内にバッテリ３４を搭載可能な搭載板３９を設けるとともに、この搭載板３９を蓋体３５の開閉に連動させて、内面３３ｅ内をスライド可能に構成した点である。この蓋体３５と搭載板３９とは、誘導手段を構成している。
【００５１】
摺動部としての搭載板３９は、バッテリ３４の搭載が可能なように、バッテリ３４の外形に合わせて湾曲した２つの湾曲部材３９ａ，３９ａと、これら湾曲部材３９ａ，３９ａを連結する連結部材３９ｂとを備える。湾曲部材３９ａ，３９ａは、内面３３ｅの長手方向に延びた略半円柱形状の部材からなる。図８に示すように、この湾曲部材３９ａ，３９ａの電源回路３３ｃ側の端部には、バッテリ３４を係止させるための係止部材３９ｃが、また蓋体３５側の端部は、ヒンジ３９ｄによって蓋体３５に連結されている。
【００５２】
蓋体３５は、ヒンジ３５ｄによってバッテリ収容部３３の端部に連結され、このヒンジ３５ｄを中心に回動可能に配設されている。ヒンジ３９ｄは、このヒンジ３５ｄから蓋体３５の所定長さ隔たった、図８中の上方側（ロック機構部側）に設けられている。したがって、搭載板３９は、ヒンジ３５ｄを中心とした蓋体３５の開閉動作に伴って、内面３３ｅを長手方向に所定距離スライドすることが可能なように制御構成されている。
【００５３】
すなわち、この実施の形態では、オートクレーブ滅菌終了後に、バッテリ３４をバッテリ装置３に装填する際に、まず清潔域の作業者がロック機構部３６を解除して、蓋体３５を開状態にする。この際に、搭載板３９は、図８中の矢印Ｘ３方向に移動して、外部に突出した状態にする。そして、不潔域の作業者がバッテリ３４を搭載板３９に搭載させる。
【００５４】
次に、清潔域の作業者が蓋体３５を閉状態にすると、搭載板３９が図８中の矢印Ｘ４方向に移動し、バッテリ３４をバッテリ収容部３３の内面３３ｅ内に挿入し、ロック機構部３６で蓋体３５をロックすることによって、バッテリ３４の装填および蓋体３５の閉塞を完了する。また、蓋体３５のロックを解除し、蓋体３５を開状態にすると、搭載板３９が図８中の矢印Ｘ３方向に移動し、これに伴って係止部材３９ｃによって搭載板３９上に係止されたバッテリ３４が内面３３ｅから押し出されて、バッテリ交換などが可能になる。すなわち、この実施の形態では、誘導手段としての蓋体３５と搭載板３９は、バッテリ３４をバッテリ収容部３３内に挿入したり、バッテリ収容部３３から押し出したりするバッテリ挿脱手段４３としての機能を有する。
【００５５】
このような構成により、この実施の形態では、蓋体と連動してバッテリ収容部の内面を移動するバッテリ用の搭載板を設けたので、不潔域のバッテリをこの搭載板に搭載するだけで、滅菌したバッテリ装置に対するバッテリの挿入および取り出しが容易になり、バッテリの取り扱いがさらに容易になり、これにより滅菌したバッテリ装置に不潔域のバッテリを装填する際に、滅菌済みの装置を汚染させることなく、バッテリ装置にバッテリを容易に装填することができる。
【００５６】
（実施の形態４）
図９は、図１に示したバッテリ収容装置の実施の形態４の構成を示す斜視図であり、図１０は、図９のＤ−Ｄ断面を示す断面図である。これら図において、これら図において、実施の形態１と異なる点は、バッテリ３４を収容するバッテリ収容部３３の先端に、バッテリ３４を受ける補助板４０を設けるとともに、この補助板４０を内部に収納してバッテリ収容部３３の内面３３ｅを閉塞状態にする蓋体３５を設けた点である。この蓋体３５、補助板４０及びスライド棒４２は、誘導手段を構成している。
【００５７】
載置部としての補助板４０は、バッテリ３４の載置が可能なように、バッテリ３４の外形に合わせて湾曲した所定長の２つの湾曲部４０ａ，４０ａを備え、補助板４０の一端は、バッテリ収容部３３の先端から突出し、他端はバッテリ収容部３３の内面３３ｅに連通して設けられている。また、バッテリ収容部３３は、バッテリ３４が内面３３ｅに装填された時に、バッテリ３４の一部が外部に露出するように、バッテリ３４の長さより、短く形成されている。
【００５８】
蓋体３５は、一面が開口した開口部３５ｃを有する長方体の箱形形状に構成されている。この開口部３５ｃは、補助板４０を内部に収納可能に形成されており、蓋体３５がバッテリ収容部３３の端部に当接することで、挿入されたバッテリ３４および補助板４０が開口部３５ｃ内に収納されて、バッテリ収容部３３の内面３３ｅを閉塞状態にしている。
【００５９】
バッテリ収容部３３の図１０中の下方には、長穴４１が長手方向に内設されており、この長穴４１には、スライド棒４２がスライド可能に係合している。また、このスライド棒４２は、長穴４１から突出する一端を有し、この一端は、蓋体３５と連結されている。したがって、蓋体３５は、保持手段としてのスライド棒４２によって保持されて、バッテリ収容部３３の長手方向を移動して、バッテリ収容部３３との当接および離隔が可能となる。
【００６０】
この実施の形態では、オートクレーブ滅菌後に、清潔域の作業者が蓋体３５を開状態にして、不潔域の作業者がバッテリ３４を補助板４０上に載せる。次に、清潔域の作業者が蓋体３５を移動させてバッテリ収容部の先端に当接させて、閉状態にする。この際、バッテリは、蓋体３５の開口部３５ｃによって押されて、内面３３ｅ内に挿入され、一部が内面３３ｅから突出した状態で係止されることとなり、バッテリ３４の装填および蓋体３５の閉塞を完了する。また、バッテリ３４をバッテリ収容部３３から取り出す時には、蓋体３５を開ければ、バッテリの一部、特に側面が露出するので、取り出しが容易となる。
【００６１】
このような構成により、この実施の形態では、バッテリ収容部先端に設けた補助板にバッテリを載せて、蓋体を移動させて該蓋体をバッテリ収容部先端と当接させるので、滅菌したバッテリ装置に対するバッテリの挿入および取り出しが容易になり、バッテリの取り扱いがさらに容易になり、これにより滅菌したバッテリ装置に不潔域のバッテリを装填する際に、滅菌済みの装置を汚染させることなく、バッテリ装置にバッテリを容易に装填することができる。
【００６２】
なお、本発明では、たとえばバッテリ収容部の内面の内壁にＯリングや板バネなどから構成されるバッテリ保持機構を設け、内面に挿入されたバッテリを保持する構成にすることも可能である。この場合には、さらにバッテリの保持が確実となり、蓋体を開けた状態でもバッテリの脱落などを防ぐことができる。
【００６３】
（実施の形態５）
図１１は、バッテリ収容装置の断面を示す断面図で、図５と同様の位置での断面である。この図において、実施の形態２と異なる点は、蓋体３５をバッテリ３４が把持可能な柔軟な部材、たとえばゴムや柔軟なプラスチックで形成し、把持部としての蓋体３５の開口部３５ｃでバッテリ３４を把持してバッテリ収容部３３の内面３３ｅに収容するように構成した点である。この蓋体３５は、誘導手段を構成している。
【００６４】
また、この実施の形態では、蓋体３５の開口部３５ｃの内周面にバッテリ把持部である滑り止め部材３５ｅを内設して、バッテリ３４を把持した際の脱落を防ぐとともに、バッテリ収容部３３の端部に形成された突部３３ｈの外周面に嵌合部材３３ｉを設けることで、蓋体３５の開口部３５ｃとバッテリ収容部３３の突部３３ｈが嵌め合わさる時に、滑り止め部材と嵌合部材３３ｉとが嵌合して、蓋体３５の容易な剥離を防止している。
【００６５】
このような構成により、この実施の形態では、蓋体をバッテリの把持が可能な柔軟な部材で形成して、清潔域の作業者が、前記蓋体でバッテリを把持してバッテリ収容部内に装填するので、これにより不潔域のバッテリが清潔域のバッテリ収容部内に収容され、これにより滅菌したバッテリ装置に不潔域のバッテリを装填する際に、滅菌済みの装置を汚染させることなく、バッテリ装置にバッテリを容易に装填することができる。
【００６６】
（実施の形態６）
図１２は、図１に示したバッテリ収容装置の実施の形態６の構成を示す構成図であり、図１３は、図１２に示したバッテリ把持具を示す図である。この実施の形態では、実施の形態５で示した蓋体３５でバッテリ３４を把持する代わりに、バッテリ把持具９を用いてバッテリ３４を把持し、バッテリ収容部３３内にこの把持したバッテリ３４を収納した後に、長方体の箱形形状の蓋体３５を、長方体形状の突部３３ｈに嵌合させて、バッテリ３４の装填および蓋体３５の閉塞を完了するものである。この把持具９は、誘導手段を構成している。
【００６７】
把持具としてのバッテリ把持具９は、図１３に示すように、作業者が指によって把持されるハンドル部９１と、バッテリ３４を把持するジョー部９２とを備える一対の治具からなり、これら治具の略中心部をピン９３で係合し、このピン９３を中心としてハンドル部９１を開くことによって、ジョー部９２を開き、ジョー部９２先端に形成された湾曲形状の先端部でバッテリ３４を把持することが可能となる。
【００６８】
このバッテリ把持具９は、消毒または滅菌が可能に構成されており、一旦使用したバッテリ把持具９を清潔域のビーカーなどに、不潔域となったジョー部９２先端部を下にして立て掛けておき、バッテリ３４の交換の時に、清潔域のハンドル部９１を持って、再びビーカーから取り出して使用することが可能となる。また、このバッテリ把持具９は、１度だけの使い捨てとすることも可能であり、この場合には、不潔域または清潔域いずれかの作業者によっても、このバッテリ把持具９を使用することが可能となる。
【００６９】
このような構成により、この実施の形態では、バッテリを清潔域のバッテリ把持具で把持してバッテリ装置内に装填するので、不潔域のバッテリが清潔域のバッテリ収容部内に収容され、これにより滅菌したバッテリ装置に不潔域のバッテリを装填する際に、滅菌済みの装置を汚染させることなく、バッテリ装置にバッテリを容易に装填することができる。
【００７０】
（実施の形態７）
図１４は、バッテリ３４と回路基板１１を１つのユニットとして、ユニット収納部１０に収納した構成を示す図である。図において、このユニット収納部１０は、蓄電手段としてのバッテリ３４と、たとえば図５に示した、バッテリ３４の電力をバッテリ装置３内のランプに供給するための電源回路３３ｃを基板構成にした回路基板１１を１つのユニット収納部１０内に設けて構成される。この実施の形態では、このユニット収納部１０を、バッテリ収容部３３内に収容することによって、バッテリ３４の電圧をランプの定格電圧に変換して、ランプに供給するものである。このユニット収納部１０は、誘導手段としての機能も有する。
【００７１】
このような構成により、この実施の形態では、電力供給手段としての回路基板をバッテリとともに、不潔域のユニット構成にして、オートクレーブ滅菌後にバッテリ装置内に装填するので、オートクレーブ滅菌を回避することができ、これによりオートクレーブ滅菌による回路基板の破損などを防ぐことができる。
【００７２】
また、上述した実施の形態では、本発明にかかるバッテリ装置を内視鏡装置に用いた場合を説明したが、本発明はこれに限らず、たとえば電気メス、超音波手術器具、熱メス、ドリル、シェーバー、ステーブラー、口頭鏡、超音波観測装置、カプセル型内視鏡などの滅菌を必要とする手術用器具もしくは検査用器具および観測用器具の電源としても用いることが可能である。また、人工臓器やペースメーカーなどの滅菌を必要とする体内埋め込み器具の電源としても用いることが可能である。また、観測用に使用されるモニターやレーザーポインターなどの手術室の清潔域で使用する機器の電源としても用いることが可能である。さらには医療器具に限らず、火災現場やプラントなどの高温および低温多湿のタンクや配管などを観察するときに用いられる工業用の内視鏡、宇宙ステーションで用いられ、高温から低温の温度条件の厳しい宇宙環境で使用される機器（たとえば作業用マニピュレータや自立移動するロボットなど）の電源としても用いることが可能である。これら内視鏡装置、医療器具などは、本発明にかかるバッテリ装置の一部を構成するものである。
【図面の簡単な説明】
【００７３】
【図１】本発明にかかるバッテリ装置を用いる携帯型内視鏡装置の構成の一例を示す斜視図である。
【図２】図１に示した操作部とバッテリ装置の接続部の外観を説明するための図である。
【図３】図１に示したバッテリ装置を含むバッテリ収容装置の実施の形態１の全体構成を示す斜視図である。
【図４】同じく、バッテリ収容装置の実施の形態２の全体構成を示す斜視図である。
【図５】図４のＢ−Ｂ断面を示す断面図である。
【図６】図４に示したスライド機構部を説明するための図である。
【図７】図１に示したバッテリ収容装置の実施の形態３の構成を示す斜視図である。
【図８】図７のＣ−Ｃ断面を示す断面図である。
【図９】図１に示したバッテリ収容装置の実施の形態４の構成を示す斜視図である。
【図１０】図９のＤ−Ｄ断面を示す断面図である。
【図１１】図１に示したバッテリ収容装置の実施の形態５の断面を示す断面図である。
【図１２】図１に示したバッテリ収容装置の実施の形態６の構成を示す構成図である。
【図１３】図１２に示したバッテリ把持具を示す図である。
【図１４】バッテリと回路基板を１つのユニットとして、ユニット収納部に収納した構成を示す図である。
【符号の説明】
【００７４】
１  内視鏡装置
２  内視鏡
３  バッテリ装置
６  バッテリガイド部
７  収納ケース
８  スライド機構部
９  バッテリ把持具
１０  ユニット収納部
１１  回路基板
２１  接眼部
２２  操作部
２２ａ  ライトガイド口金
２２ｂ  湾曲操作レバー
２２ｃ  吸引ボタン
２２ｄ  吸引口金
２２ｅ  把持部
２２ｆ  鉗子挿入口
２２ｇ  鉗子栓
２２ｈ  通気口金
２２ｉ  雄ネジ部
２２ｊ  接続筒
２３  挿入部
２３ａ  先端部
２３ｂ  湾曲部
２３ｃ  可撓管
２３ｄ  照明窓
３１  接続部
３１ａ  接続環
３１ｂ  雌ネジ部
３１ｃ  ネジカバー
３１ｄ  接続口金
３１ｅ  水密リング
３２  ランプ収容部
３２ａ  収容部本体
３２ｂ  水密リング
３２ｃ  ランプ接点バネ部
３３  バッテリ収容部
３３ｃ  電源回路
３３ｅ  内面
３３ｆ  上端部
３３ｇ  溝
３３ｈ  突部
３３ｉ  嵌合部材
３５  蓋体
３５ａ  導電板
３５ｂ  固定爪部
３５ｃ  開口部
３５ｄ  ヒンジ
３５ｅ  滑り止め部材
３６  ロック機構部
３６ａ  ロック爪部
３６ｂ  開放レバー
３７  回動レバー
３８  ピニオン
３９      搭載板
３９ａ，３９ａ  湾曲部材
３９ｂ  連結部材
３９ｃ  係止部材
３９ｄ  ヒンジ
４０  補助板
４０ａ，４０ａ  湾曲部
４１  長穴
４２  スライド棒
４３  バッテリ挿脱手段
５０  ランプ
５０ａ  基端電極
６１，６２  ガイドレール
６３  下面
６３ａ，９３  ピン
６４，６５  バッテリ挿入用開口
７１，７２  バッテリ収容孔
７３  長溝
７４  ラック
７５  接続端子
９１  ハンドル部
９２  ジョー部
【図１】
2006116041.tif 000003
【図２】
2006116041.tif 000004
【図３】
2006116041.tif 000005
【図４】
2006116041.tif 000006
【図５】
2006116041.tif 000007
【図６】
2006116041.tif 000008
【図７】
2006116041.tif 000009
【図８】
2006116041.tif 000010
【図９】
2006116041.tif 000011
【図１０】
2006116041.tif 000012
【図１１】
2006116041.tif 000013
【図１２】
2006116041.tif 000014
【図１３】
2006116041.tif 000015
【図１４】
2006116041.tif 000016